(57)【特許請求の範囲】
【請求項１】
絶縁質の本体部に一対の電極部が設けられ、この一対の電極部で葉を挟んで葉の中の幼虫等を感電死可能に形成されている電気式殺虫器であって、上記の電極部の少なくとも一方が柔軟状に形成され、また電極部の少なくとも一方が複数の電極片を整列状に配置させて形成され、この各電極片に、葉に印加する電圧をバランスさせるバランス抵抗が接続されていることを特徴とする電気式殺虫器。
【請求項２】
請求項１記載の電気式殺虫器であって、一方の電極部が柔軟状に、他方の電極部が複数の電極片を整列状に配置させて形成されていることを特徴とする電気式殺虫器。
【請求項３】
請求項２記載の電気式殺虫器であって、本体部が、一方の動作片と他方の動作片とで鋏型に形成され、一方の動作片の先端で、他方の動作片の先端と対向する位置に一方の電極部が設けられ、この一方の電極部と対向する他方の動作片の先端位置に、他方の電極部が設けられていることを特徴とする電気式殺虫器。
【請求項４】
請求項３記載の電気式殺虫器であって、一方の動作片と他方の動作片を閉じて一方の電極部と他方の電極部で葉を挟むと一対の電極部に通電する安全スイッチを、電源のオンオフ制御用の電源スイッチとは別個に備えて形成されていることを特徴とする電気式殺虫器。
【発明の詳細な説明】
【技術分野】
【０００１】
本発明は、携帯型ハンディータイプの電気式殺虫器に関し、更に詳しくは例えばハモグリバエの幼虫等（幼虫のほか、卵やさなぎを含む）の駆除に適するよう形成した電気式殺虫器に関するものである。
【背景技術】
【０００２】
従来、害虫を感電死させる電気式殺虫器としては、例えば特許文献１に記載されているものがある。
この従来品は、電池と、ディスチャージユニットと、高圧コイルとからなる高電圧発生源と、この高電圧発生源から電圧が供給される陰陽電極と、この陰陽電極を支承するスチックと、このスチックの端部の把持部とで形成されている。
【０００３】
また従来、ペットの毛に付くダニ等を駆除するための電気式殺虫器としては、例えば特許文献２の図７に記載されているものが知られている。
この従来品は、本体が鋏型に形成され、一方の動作片の先端の内側に陽極棒が、また他方の動作片の先端の内側に陰極棒が設けられ、この陽極棒と陰極棒とでペットの毛を挟んで毛に付着しているダニ等の害虫を感電死させる構造である。
【０００４】
ところで、ハモグリバエ等の幼虫は、野菜や花卉等の葉にもぐって葉肉を食べるため、消毒液を散布しても効果がなく、また消毒液を散布できる段階では既に葉が食い荒らされていることが多い。
そのため従来、この種の害虫の幼虫等を始末する場合は、例えば葉を手指で挟んで幼虫等を潰したり、被害にあった葉を除去しているのが通常である。
従って従来は、この種の幼虫等の始末に手間暇がかかり、手指を汚し、また幼虫等と一緒に葉脈まで潰すことがあったから、植物の生育に悪影響を与えることがあった。その結果、従来、ハモグリバエの幼虫等を、簡単且つ楽に、また手指を汚したり、葉脈を傷めて枯らしたりすることなく死滅できる電気式殺虫器の出現が望まれていた。
【０００５】
而して、特許文献１に係る従来品は、空中を飛ぶ虫や、床等を這う虫を陰陽電極に接触させて感電死させる構造である。従ってこの従来品によっては、葉にもぐって葉肉を食べるハモグリバエの幼虫等には対応できない、という問題点があった。
【０００６】
ところで、植物の葉は、虫による食害や風雨等で傷付き、また生育環境の影響を受け易い。従って、植物は、葉の厚みに、部分的な差が生じるのを避けられないが、このことは、一枚の葉の中に、電気抵抗値の異なる箇所が存在する、ということを意味する。
【０００７】
それ故、例えば図８に示されるように、葉ａを一対の電極ｂ、ｂで挟んで電流を流すと、電気抵抗値の異なる３箇所（ｒ２＜＜ｒ１、ｒ２＜＜ｒ３とする）では、電流がｒ２（葉ａに損傷ｃがあり、電気抵抗値が小さい箇所）に主として流れ、ｒ１の箇所の幼虫ｄには殆ど流れず、その結果、幼虫ｄを感電死させることができない。また、ｒ２の箇所では、大きな電力損失が発生して葉が焼け、葉を枯らしてしまうことになる。
それ故、葉を電極で挟む方式の殺虫器は、この種の葉の特殊性を考慮しないと、葉の中のハモグリバエの幼虫等を確実に感電死させることができない。
【０００８】
また葉は、葉脈部分が厚く、葉脈が、例えば葉の裏側に突き出ていることが多い。従って葉を挟んで葉の中の幼虫等を感電死させるときは、葉脈を傷めることなく、幼虫等に電圧を確実に印加できるよう、形成されているのが望ましい。
【０００９】
しかるに、特許文献２に記載の従来品は、上記の通り、陽極棒と陰極棒とでペットの毛を挟み、挟んだ箇所の全体に電流を流して毛に付着しているダニ等の害虫を感電死させる構造であった。
従って、この従来品で植物の葉を挟むと、電流は葉の損傷状態等に応じて電気抵抗のより小さい箇所を流れることになる。それ故、これによると、幼虫等に電圧を確実に印加することができず、葉を傷め、また葉を強く挟み付けて葉脈を潰し、葉を枯らすことになる、という問題点があった。
【先行技術文献】
【特許文献】
【００１０】
【特許文献１】特開２００２−２１８８９４号公報
【特許文献２】特開平９−９８４７号公報（図７参照）
【発明の概要】
【発明が解決しようとする課題】
【００１１】
本発明は、このような従来品の問題点に鑑み、提案されたものである。
従って本発明の解決しようとする技術的課題は、葉にスポット的に電圧を印加でき、葉脈を潰したり葉を傷めることなく、葉の中の幼虫等を確実に感電死させることができるよう形成した電気式殺虫器を提供することにある。
【課題を解決するための手段】
【００１２】
本発明は、上記の課題を解決するため、次のような技術的手段を採る。
即ち本発明は、図１等に示されるように、絶縁質の本体部１に一対の電極部２、３が設けられ、この一対の電極部２、３で葉４を挟んで葉４の中の幼虫５等を感電死可能に形成されている電気式殺虫器であって、上記の電極部２、３の少なくとも一方が柔軟状に形成され、また電極部２、３の少なくとも一方が複数の電極片３ａを整列状に配置させて形成され、この各電極片３ａに、葉４に印加する電圧をバランスさせるバランス抵抗Ｒ１〜Ｒｎが接続されていることを特徴とする（請求項１）。
【００１３】
ここで、柔軟状に形成され、とは、具体的には導電性のスポンジ材やゴム材で形成することにより実現される。本発明の場合、電極部２、３は、両方とも柔軟状に形成されるのでも、また複数の電極片３ａで形成されているのでも良い。
電極部２、３の構成形態としては、（１）電極部の一方が柔軟で、電極部の他方が複数の電極片３ａ（硬質）の場合、（２）電極部の一方が柔軟で、且つ複数の電極片３ａで形成され、電極部の他方が硬質の一枚板状である場合、（３）電極部の一方が柔軟で、且つ複数の電極片３ａで形成され、電極部の他方が複数の電極片３ａで形成されている場合、（４）電極部の両方が柔軟で、電極部の一方だけが複数の電極片３ａによる場合、（５）電極部の両方が柔軟で、且つ両方の電極部とも複数の電極片３ａによる場合がある。なお、電極部２、３の両方を柔軟状に形成する場合は、葉４の中のさなぎを押し潰すことができる程度の硬さに選定されているのが望ましい。
【００１４】
また本発明の場合、電極片３ａは、通常、同じ大きさ（面積）に形成されて、縦横が同数に整列されるが、これに限定されるものではない。また電極片３ａの個数は、自由である。電極部２、３の両方が複数の電極片３ａで形成される場合は、電極部２、３で葉４を挟んだとき、電極片３ａ同士が対向するよう配置される必要があることは言うまでもない。なお、電極部２、３の形状や大きさは自由である。
【００１５】
而して、本発明は、図１等に示されるように、一方の電極部２が柔軟状に、他方の電極部３が複数の電極片３ａを整列状に配置させて形成されているのが好ましい（請求項２）。
なぜならこれによると、本発明の課題を必要充分な構造で達成できるからである。またこの場合は、電極部２、３の両方を、柔軟状に形成したり、電極片３ａを備えて形成する場合に比べ、電極部２、３を簡単化、低コスト化できるからである。
【００１６】
また本発明は、本体部１が、図１等に示されるように、一方の動作片１ａと他方の動作片１ｂとで鋏型に形成され、一方の動作片１ａの先端で、他方の動作片１ｂの先端と対向する位置に一方の電極部２が設けられ、この一方の電極部２と対向する他方の動作片１ｂの先端位置に、他方の電極部３が設けられているのが好ましい（請求項３）。
なぜならこれによると、簡単、且つ楽に、また安全に操作でき、使い勝手が良いからである。
【００１７】
但し、本発明は、本体部１が、例えば手袋状に形成されて、手袋の例えば親指と人差し指の先に電極部を設けて形成したり、或いは親指と人差し指に指サック状に嵌めて装着し、手指で葉４を挟んで使用できるよう形成されているのでも良い。なお、ここで、鋏型とは、本体部１が裁ち鋏や握り鋏状に形成され、手指で各動作片１ａ、１ｂの先端を開閉操作可能に形成されている、ということを意味する。
【００１８】
また本発明は、一方の動作片１ａと他方の動作片１ｂを閉じて一方の電極部２と他方の電極部３で葉４を挟むと一対の電極部２、３に通電する安全スイッチ１０を、電源９のオンオフ制御用の電源スイッチ１１とは別個に備えて形成されているのが好ましい（請求項４）。
なぜならこの場合は、電源スイッチ１１を入れただけでは電流が流れないから、これによると、一方の動作片１ａと他方の動作片１ｂが開いた状態にあるとき、一対の電極部２、３に過って触れても感電することがなく、従って安全に使用できるからである。
【発明の効果】
【００１９】
本発明は、このように一対の電極部の少なくとも一方が柔軟状に形成されているから、葉を挟んだとき、葉脈を潰して葉を傷めることがない。
また本発明は、電極部の少なくとも一方が複数の電極片を整列状に配置させて形成され、各電極片に、葉に印加する電圧をバランスさせるバランス抵抗が接続されている。
従って本発明の場合は、葉の損傷具合等に応じ、葉にスポット的に、また大きな電力損失を生じさせることなく通電できるから、これによると葉を電流で傷めて枯らすことなく、葉の中のハモグリバエの幼虫等を、確実に感電死させることができる。
【図面の簡単な説明】
【００２０】
【図１】本発明の電気式殺虫器の好適な一実施形態を示し、Ａは斜視図、Ｂは構成図である。
【図２】同上電気式殺虫器の平面図である。
【図３】同上電気式殺虫器の側面図である。
【図４】電極部を示す要部構成図である。
【図５】Ａは電極片でなる電極部の要部正面図、Ｂは要部底面図である。
【図６】同上電気式殺虫器の使用状態を示す斜視図である。
【図７】電源スイッチと安全スイッチとの関係を示すタイムチャートである。
【図８】葉を一対の電極で挟む方式の一例を示す要部構成図である。
【発明を実施するための形態】
【００２１】
以下、本発明の好適な一実施形態を、添付図面に従って説明する。
本発明の電気式殺虫器は、図１等に示されるように、例えばプラスチック等の絶縁質の本体部１に、一対の電極部２、３が設けられ、この一対の電極部２、３で葉４を挟んで葉４の中のハモグリバエの幼虫５等を感電死可能に形成されている。
【００２２】
而して、この実施形態の本発明品は、一方の電極部２が柔軟状に形成されている。この一方の電極部２は、具体的には導電性のスポンジ材で、一辺が２０（ｍｍ）×２０（ｍｍ）の正方形状に形成されている。この場合、スポンジ材は、ハモグリバエがさなぎの段階でも、さなぎの殻を挟み圧で破くことができるよう、硬さと厚みが適宜選定されている。本発明は、このように一方の電極部２が柔軟状であるから、葉脈４ａを潰すことなく、葉４に高電圧を印加でき、また葉４との接触抵抗を低減できるものである。
【００２３】
また他方の電極部３は、複数の電極片３ａを整列状に配置させて形成されている。この電極片３ａは、この実施形態では一辺が４（ｍｍ）×４（ｍｍ）の正方形状に形成されている。これは、ハモグリバエの幼虫５の体長が、通常、１〜２．５（ｍｍ）位で、さなぎは２（ｍｍ）程度であることによる。
【００２４】
また他方の電極部３は、図５に示されるように、この実施形態では電極片３ａを１６個（１６極）備え、この電極片３ａを縦横に整列させて配置し、一辺が２０（ｍｍ）×２０（ｍｍ）の正方形状に形成されている。なお、電極片３ａの大きさは、全て同一である。また他方の電極部３は、葉４に加える圧力が極端に大きくならないよう、この実施形態ではベース部３ｂがクッション性を有して形成されている。
【００２５】
また本発明は、各電極片３ａに、葉４に印加する電圧をバランスさせるバランス抵抗Ｒ１〜Ｒｎ（Ｒｎは、この実施形態ではＲ１６）が接続されている。そしてこれにより、この実施形態では、１個（１極）の電極片３ａに、数ミリアンペアの電流が流れるよう形成されている。
【００２６】
またこの実施形態の場合、本体部１は、図１Ａ、図３等に示されるように、一方の動作片１ａと他方の動作片１ｂとで鋏型に形成されている。上記の一方の電極部２は、一方の動作片１ａの先端で、他方の動作片１ｂの先端と対向する位置に設けられている。また他方の電極部３は、他方の動作片１ｂの先端に、一方の電極部２と対向するよう設けられている。
【００２７】
また本体部１は、一方の動作片１ａと他方の動作片１ｂに加える手指の力を抜くと、バネ６（図２、図３参照）の復元力で先端が外側に開いて復帰可能に形成されている。なお、７は、一方の動作片１ａと他方の動作片１ｂを回転可能に連結する軸である。またこの実施形態では、一方の動作片１ａの基端側の屈曲部８が、電源９としての乾電池の収納部に形成されている。
【００２８】
またこの実施形態の本発明品は、図３に示されるように、一方の動作片１ａと他方の動作片１ｂを閉じて一方の電極部２と他方の電極部３で葉４を挟むと一対の電極部２、３に通電する安全スイッチ１０を、電源９のオンオフ制御用の電源スイッチ１１（図１Ｂ参照）とは別個に備えて形成されている。
【００２９】
従って本発明品は、電源スイッチ１１を入れても、葉４を挟んで安全スイッチ１０がオンにならなければ通電しないため、各動作片１ａ、１ｂの先端が開いているときに、使用者が一対の電極部２、３に過って触れても、感電することはない。
なお、この実施形態では電源スイッチ１１を入れると、他方の動作片１ｂの外面に設けられているＬＥＤ１２（発光ダイオード）が点灯するよう形成されている。
【００３０】
また図１Ｂにおいて、１３はコントロール回路であり、１４は昇圧トランス、１５はスイッチング素子である。コントロール回路１３は、例えば２０（ＫＨｚ）発振器とタイマー回路等を備えて形成されている。このコントロール回路１３からの出力信号でスイッチング素子１５が交互にオンオフし、昇圧トランス１４で１００Ｖ以上の交流電圧が発生する。この実施形態の場合、コントロール回路１３や昇圧トランス１４等は、本体部１の適宜箇所に収納されている。
【００３１】
またタイマー回路は、交流電圧の発生時間を決定し、設定時間だけ葉４に電圧を印加する機能を有している。この設定時間は、植物の種類や生育環境によって葉４の電気抵抗が異なるため、葉４の電気抵抗値を考慮して葉４に電流痕を付けることなく、幼虫５等を死滅させることができる時間に選定される。
なお、本発明は、交流を整流して直流に変換し、直流電圧を葉４に印加するよう形成されているのでも良い。
【００３２】
次に本発明の使用例及び作用を説明する。
使用者は、先ず電源スイッチ１１を入れ、本体部１の各動作片１ａ、１ｂを握って、図３、図６に示されるように、一対の電極部２、３で葉４を挟む。この場合、本発明品は、一方の電極部２が柔軟状に形成されているから、使用者は、葉脈４ａ（図１Ｂ、図４参照）を傷めることがないよう、この一方の電極部２を、葉脈４ａが突出していることの多い、葉４の例えば裏側にあてがって葉４を挟む。
【００３３】
そして、葉４が一対の電極部２、３で挟まれると、安全スイッチ１０が入る。すると、タイマー回路の設定時間だけ昇圧トランス１４で交流電圧が発生し（図７参照）、一対の電極部２、３で挟まれている葉４に所定の高電圧が印加される。その結果、葉４の中の幼虫５等が感電死する。
【００３４】
而して、この実施形態の場合、他方の電極部３は、複数の電極片３ａで分極状に形成され、各電極片３ａにはバランス抵抗Ｒ１〜Ｒｎが接続されている。従って、図４において、仮に、抵抗ｒ２＜＜抵抗ｒ１とすると、ハモグリバエの幼虫５の近くには、ｉ１＝Ｖ/Ｒ１＋ｒ１の電流が流れる。
【００３５】
また、例えば抵抗ｒ２の箇所（葉４に損傷ｃのある箇所）では、ほぼｉ２＝Ｖ/Ｒ２の電流が流れることになる。従って本発明は、抵抗ｒ２の箇所ではバランス抵抗Ｒ２が接続されていない場合に比べ、流れる電流を抑えることができる。その結果、本発明によると、抵抗ｒ２の箇所において大きな電力損失の発生を防止でき、葉４を焼いて枯らすことがない。
【００３６】
また本発明は、バランス抵抗Ｒ１〜Ｒｎの定数の選定により、葉４の電気抵抗が部分的に異なっても、バランス抵抗Ｒ１〜Ｒｎを流れる電流は殆ど同一となる。従って本発明は、電流ｉ１〜ｉｎの値を、葉４の電気抵抗ｒ１を含めて幼虫５等の致死電流値に選定することにより、幼虫５等が葉４の中のどの位置に存在しても確実に感電死させることができる。
【００３７】
以上の処において、本発明は、電源９を使用者の腰のベルトに取り付け可能に形成したり、家庭用１００ボルト交流電源を利用してコンセントから電気コードで本体部１に給電可能に形成するのでも良い。
【符号の説明】
【００３８】
１      本体部
２      一方の電極部
３      他方の電極部
３ａ    電極片
４      葉
５      幼虫
Ｒ１〜Ｒｎ    バランス抵抗
【要約】
【課題】  葉にスポット的に電圧を印加し、葉脈を潰したり葉を傷めることなく、葉の中の幼虫等を確実に感電死させる。
【解決手段】  絶縁質の本体部１に一対の電極部２、３を設け、この一対の電極部２、３で葉４を挟んで葉４の中の幼虫５等を感電死可能に形成する。上記の電極部２、３の少なくとも一方を、柔軟状に形成する。また電極部２、３の少なくとも一方を、複数の電極片３ａを整列状に配置させて形成する。この各電極片３ａに、葉４に印加する電圧をバランスさせるバランス抵抗Ｒ１〜Ｒｎを接続する。
【選択図】      図１【図１】
0004649542.tif 000002
【図２】
0004649542.tif 000003
【図３】
0004649542.tif 000004
【図４】
0004649542.tif 000005
【図５】
0004649542.tif 000006
【図６】
0004649542.tif 000007
【図７】
0004649542.tif 000008
【図８】
0004649542.tif 000009